(57)【特許請求の範囲】
【請求項１】
少なくとも一方の面に光反射面を有し、前記一方の面から他方の面を貫通する第１貫通孔を備えた光反射部材と、
前記光反射部材の前記一方の面に設けられる、発光素子を有する発光体と、
前記光反射部材の前記他方の面の側に設けられ、前記光反射部材に対向する面とその面と反対側の面の間を貫通する第２貫通孔を有する支持部材と、を備え、
前記第１貫通孔及び前記第２貫通孔が、前記発光素子が設けられる箇所に対応して設けられている電子機器。
【請求項２】
前記支持部材の、前記光反射部材が設けられている側と逆側の面に、前記第２貫通孔を底部に配置した溝部が鉛直方向に沿って設けられている請求項１に記載の電子機器。
【請求項３】
前記発光体は、取付基板に複数の前記発光素子が直線状に配置してあり、
前記第１貫通孔及び前記第２貫通孔は、前記発光素子の配置方向に沿って長孔に形成されている請求項２に記載の電子機器。
【請求項４】
前記発光体は、前記発光体の長手方向を前記支持部材の横方向に配して、上下に複数本設けられ、
前記溝部は、前記支持部材の左右方向にも設けられている請求項３に記載の電子機器。
【請求項５】
前記支持部材の前記発光素子に対応した位置に、金属板が取り付けられている請求項１〜４のいずれか１項に記載の電子機器。
【請求項６】
前記支持部材の前記発光素子に対応した位置に、ヒートシンクが取り付けられている請求項１〜４のいずれか１項に記載の電子機器。
【請求項７】
前記支持部材の前記発光素子に対応した位置に、放熱部を前記第１貫通孔及び前記第２貫通孔の外部に配置したヒートパイプが取り付けられている請求項１〜４のいずれか１項に記載の電子機器。
【請求項８】
少なくとも一方の面に光反射面を有し、前記一方の面と他方の面との間を貫通する第１貫通孔を有する光反射部材と、
前記光反射部材の前記一方の面に設けられる、発光素子を備えた発光体と、
前記光反射部材の前記他方の面の側に設けられ、前記光反射部材に対向する面とその面と反対側の面の間を貫通する第２貫通孔を有するバックベゼルと、
前記発光体から照射された光の通過を液晶の駆動により制御して、画像を形成する映像表示用セルと、を備え、
前記第１貫通孔及び前記第２貫通孔が、前記発光素子が設けられる箇所に対応して設けられている電子機器。
【請求項９】
前記バックベゼルの前記光反射部材と逆側の面に、前記第２貫通孔を底部に有する溝部が、鉛直方向に沿って設けられている請求項８に記載の電子機器。
【請求項１０】
前記発光体は、複数の前記発光素子が取付基板に直線状に配置され、
前記第１貫通孔及び前記第２貫通孔は、前記発光素子の配置方向に沿って長孔に形成されている請求項９に記載の電子機器。
【請求項１１】
前記発光体は、前記発光体の長手方向を前記バックベゼルの横方向に配して、上下に複数本設けられ、
前記溝部は、前記バックベゼルの左右方向にも設けられている請求項１０に記載の電子機器。
【請求項１２】
前記バックベゼルの前記発光素子が設けられている位置に、金属板が取り付けられる請求項８〜１１のいずれか１項に記載の電子機器。
【請求項１３】
前記バックベゼルの前記発光素子が設けられている位置に、ヒートシンクが取り付けられる請求項８〜１１のいずれか１項に記載の電子機器。
【請求項１４】
前記バックベゼルの前記発光素子が設けられている位置に、放熱部を前記第１貫通孔及び前記第２貫通孔の外部に配置したヒートパイプが取り付けられる請求項８〜１１のいずれか１項に記載の電子機器。
【発明の詳細な説明】
【技術分野】
【０００１】
本発明の実施形態は、外部への放熱に配慮した電子機器に関する。
【背景技術】
【０００２】
電子機器としての液晶テレビは、液晶パネルの後方にＬＥＤ等の発光体を有するバックライトが設けられている。又、筐体の内部には、電源基板等の各種基板が取り付けられている。
【先行技術文献】
【特許文献】
【０００３】
【特許文献１】特開２００５−２４９９４２号公報
【特許文献２】特開２００９−８１００４号公報
【特許文献３】特開２０１２−２３０２１４号公報
【特許文献４】特開２０１０−１７８２１５号公報
【特許文献５】特開２００８−２８２６１５号公報
【発明の概要】
【発明が解決しようとする課題】
【０００４】
液晶テレビは、内部の温度上昇を抑制するため、バックライトや基板等から発生する熱を筐体の外部に放散させる必要性を有している。
【課題を解決するための手段】
【０００５】
第１の実施形態に係る電子機器は、少なくとも一方の面に光反射面を有し、一方の面から他方の面を貫通する第１貫通孔を備えた光反射部材と、光反射部材の一方の面に設けられる、発光素子を有する発光体と、光反射部材の他方の面の側に設けられ、光反射部材に対向する面とその面と反対側の面の間を貫通する第２貫通孔を有する支持部材とを備えている。更に、第１貫通孔及び第２貫通孔は、発光素子が設けられる箇所に対応して設けられている。
【図面の簡単な説明】
【０００６】
【図１】一実施形態の液晶テレビを示す正面図。
【図２】同液晶テレビを示す側面図。
【図３】液晶テレビを後方から示す斜視図。
【図４】テレビ本体を分解して示す分解斜視図。
【図５】液晶テレビからユニットカバーを外して後方から示す分解斜視図。
【図６】液晶テレビのバックベゼルを斜め後方から示す斜視図。
【図７】液晶テレビを縦断面で破断して、ＬＥＤバーの取付構造を示す部分断面図。
【図８】液晶テレビのバックベゼルを正面側から示す斜視図。
【図９】図８のＦ９−Ｆ９線を通る平面で液晶テレビを破断した分解断面図。
【図１０】液晶テレビの電源線引出口を破断して示す断面図。
【図１１】図８のＦ１１−Ｆ１１線を通る平面で液晶テレビを破断した分解断面図。
【図１２】液晶テレビの傾斜部を斜め前方から示す斜視図。
【図１３】液晶テレビの傾斜部を斜め前方から示す斜視図。
【図１４】第２実施形態の液晶テレビを縦断面で破断して、ＬＥＤバーの取付構造を示す部分断面図。
【図１５】第３実施形態の液晶テレビを縦断面で破断して、ＬＥＤバーの取付構造を示す部分断面図。
【図１６】第４実施形態の液晶テレビを縦断面で破断して、ＬＥＤバーの取付構造を示す部分断面図。
【図１７】第５実施形態の液晶テレビのバックベゼルを斜め後方から示す斜視図。
【図１８】第６実施形態の液晶テレビのユニットカバーを斜め後方から示す斜視図。
【発明を実施するための形態】
【０００７】
第１の実施形態の液晶テレビ１０について、図面を参照して説明する。図１は、電子機器の一例である液晶テレビ１０の前面を示す正面図である。図２は、液晶テレビ１０を右側面から示す側面図である。図３は、液晶テレビ１０の背面を斜め上方から示す斜視図である。図４は、テレビ本体１２を分解して示す分解斜視図である。
【０００８】
液晶テレビ１０は、テレビ本体１２と、テレビ本体１２の下部にテレビ本体１２を支持する卓上スタンド１４とを備えている。液晶テレビ１０は、テレビ本体１２の下部に組み付けられた卓上スタンド１４によりテレビ台Ｔ等の上に据え付けられる。
【０００９】
以下、液晶テレビ１０の説明において、基本的に、テレビ本体１２を鉛直（後述する液晶パネル２２の映像表示面を鉛直にした状態）に屹立させた状態で、液晶テレビ１０の映像表示面側を前方とし、その逆を後方とし、それを基準に液晶テレビ１０の左右を定める。又、かかる状態で、重力の方向を液晶テレビ１０の下方、その逆を上方とする。説明上、液晶テレビ１０は、鉛直に設置されているものとする。
【００１０】
テレビ本体１２は、図４に示すように、フロントベゼル２０、映像表示用セルとしての液晶パネル２２、フレーム２４、バックライト２６、支持部材としてのバックベゼル２８、ユニットカバー３０を備えている。又、図５に示すように、バックベゼル２８の後面には、電源基板５０及び制御基板５２が取り付けられている。
【００１１】
フロントベゼル２０は、図４に示すように、矩形の枠状部材で、バックベゼル２８の前縁に組み付けられ、バックベゼル２８及びユニットカバー３０とで液晶テレビ１０の筐体１１を形成する。筐体１１は、図２、図３に示すように、矩形で、後方に膨らみを有する形状である。
【００１２】
液晶パネル２２は、被光照射体であり、液晶ユニット３１と偏光フィルム３２とを少なくとも重ねて構成され、バックライト２６が放射する光を透過させる状態と遮断する状態とを切り替えて画像を形成する。尚、映像表示パネルとして、液晶パネル２２でなくともよい。
【００１３】
フレーム２４は、矩形の枠状に形成された部材であり、フロントベゼル２０に液晶パネル２２を組み入れた後、液晶パネル２２の後方に配置され、液晶パネル２２を押える。液晶パネル２２の後方には、バックライト２６が設けられている。
【００１４】
バックライト２６は、光学部材３４と、発光体（発熱部でもある）としてのＬＥＤバー３６と、光反射部材としての反射シート３８とを含んでいる。光学部材３４は、拡散板４０とプリズムシート４１や拡散シート４２等の各種光学シートを適宜含んで構成されており、ＬＥＤバー３６の光を拡散させ、輝度斑のない均質な光を液晶パネル２２に対して供給する。
【００１５】
ＬＥＤバー３６は、細長く形成された取付基板４６と、取付基板４６の第１の面（前面）４８に配置された、発光素子としてのＬＥＤ（発光ダイオード）４４とを含んでいる。
【００１６】
取付基板４６は、アルミニウム、あるいはアルミニウム合金等、熱伝導性の良好な部材で形成されている。尚、熱伝導性が良好であれば、素材はアルミニウム等でなくともよい。取付基板４６には、ＬＥＤ４４を発光させるための電力をＬＥＤ４４に供給するための配線がプリントされている。
【００１７】
ＬＥＤ４４は、取付基板４６の第１の面４８上の５カ所の位置に、所定の間隔で取り付けられている。ＬＥＤ４４の前面には、図７に示すようにＬＥＤ４４を覆うレンズ部５６が設けられている。レンズ部５６を通った光は、第１の面４８側に広く拡散される。尚、本実施形態では、レンズ部５６を含めて、ＬＥＤ４４と呼ぶこともある。ＬＥＤバー３６は、２本平行に、上下方向に所定の間隔をあけて、反射シート３８の上に設けられている。
【００１８】
反射シート３８は、例えば、発泡合成樹脂材で形成され、高い光反射率を有している。反射シート３８は、少なくとも液晶パネル２２側の面、つまり前面側に、反射面を備えている。ＬＥＤバー３６は、反射シート３８の反射面（前面）の上に重ねて設けられている。
【００１９】
反射シート３８は、図４及び図９に示すように、基本的に矩形形状を有し、平坦に形成された平面部６０を中央部分に備え、平面部６０の周囲に、所定の角度で前方に傾斜した傾斜部６２を備えている。
【００２０】
平面部６０には、ＬＥＤバー３６を取り付けた際、ＬＥＤ４４が配置される位置に第１貫通孔としての貫通孔６４が設けられている。貫通孔６４は、反射シート３８を表裏に貫通し、図４に示すように、ＬＥＤバー３６の長手方向に沿った方向に長く形成されたほぼ長円形を有している。貫通孔６４は、少なくともＬＥＤ４４が取り付けられる位置に重なるように形成されている。
【００２１】
尚、貫通孔６４は、強度的に支障が生じない範囲で、隣接した複数のＬＥＤ４４を跨いで、横方向に長く長孔に形成されていてもよい。又、貫通孔６４は、縦方向には、ＬＥＤバー３６の取付基板４６の縦幅を越えない長さに形成され、ＬＥＤバー３６を反射シート３８の上面に取り付けた際、貫通孔６４の一部がＬＥＤバー３６の取付基板４６の上下からはみ出さないことが好ましい。又、反射シート３８には、ＬＥＤバー３６の取付ねじを通すための孔も設けられている。尚、反射シート３８は、高い光反射率を有する素材であれば、発泡合成樹脂材でなくともよい。反射シート３８の裏面には、バックベゼル２８が設けられる。
【００２２】
図９にバックベゼル２８の断面を示す。図９は、バックベゼル２８を、図８のＦ９−Ｆ９線を含む平面で破断した状態を示す断面図である。バックベゼル２８の全体は、フロントベゼル２０と組み付く矩形形状を有している。
【００２３】
図９に示すように、バックベゼル２８は、上方から後方に湾曲した上板部としての上部湾曲部６８と、前後方向に設けられた横板部７０と、縦方向に設けられた平板部７２の３つの部分に大きく区分できる。上部湾曲部６８と横板部７０と平板部７２の３つの部分は、合成樹脂材で一体に形成されていることが好ましい。
【００２４】
上部湾曲部６８は、図９の縦断面で示すように、上端部８２から後方に凸状に湾曲した形状を有している。上部湾曲部６８の下端部７４は、ほぼ水平に形成してあり、下端部７４と横板部７０の先端部７６とが連結されている。
【００２５】
横板部７０は、ほぼ平板状で、先端部７６は、上部湾曲部６８の下端部７４の湾曲に沿った形状を有している。横板部７０の基端部７８は、ほぼ直線状で、基端部７８と平板部７２の上端部８０とが連結されている。尚、横板部７０を取り付ける位置は、平板部７２の上下方向の中央より上方の位置であれば、平板部７２の上端部でなくともよい。
【００２６】
平板部７２は、平板状に形成されている。平板部７２は、液晶パネル２２に対して基本的に平行に設けられ、液晶テレビ１０を鉛直に設置した場合、平板部７２も鉛直に配置されるように形成されている。
【００２７】
バックベゼル２８は、かかる形状により、図５に示すように、バックベゼル２８の左右端縁２９、３１をバックベゼル２８の中心部に対して前後方向に移動させる力Ａやバックベゼル２８の左右端縁２９、３１を中心軸Ｃ回りに捩じる力Ｂに対して十分な強度を有している。
【００２８】
又、図８、図９に示すように、バックベゼル２８の上部湾曲部６８と平板部７２との間には、補強部材８４が設けられている。補強部材８４は、金属製の板状部材で、上部と下部にそれぞれねじ孔を有し、バックベゼル２８の左右方向のほぼ中央にねじ止めされている。補強部材８４の上部は、図９に示すように、上部湾曲部６８の上端部８２に固定され、下部は平板部７２の上端部８０に固定されている。
【００２９】
バックベゼル２８は、補強部材８４が上部湾曲部６８の上端部８２と平板部７２の上端部８０との間に取り付けられていることにより、図９に示すように、バックベゼル２８の上部に、上部湾曲部６８と横板部７０と補強部材８４とを結ぶ、いわば三角形の補強構造が形成される。これにより、バックベゼル２８は、上部湾曲部６８の上端部８２を、平板部７２に対して前後方向に移動させる力Ｄに対して十分な強度を有している。
【００３０】
尚、補強部材８４は、所望の強度を有していれば、金属製に限らず、合成樹脂製であってもよい。又、補強部材８４は、一か所に限らず、バックベゼル２８の所定の個所に適宜取り付けてよい。又、補強部材８４の上部は、バックベゼル２８の周囲に設けられている金属製のブラケットとともに上部湾曲部６８に固定されることが好ましい。
【００３１】
図６に示すように、横板部７０には、第１スリットとしてのスリット９０を有する傾斜部９２が形成されている。傾斜部９２は、図１２、図１３に示すように、平板状の天井壁９６を有し、少なくとも後述する溝部９４に位置を合せて設けられている。
【００３２】
図１１に、図８のＦ１１−Ｆ１１線を含む平面で上部湾曲部６８の周辺を破断した断面図を示す。尚、図１１においては、補強部材８４の記載は省略されている。
【００３３】
図１１に示すように、横板部７０と平板部７２とは、横板部７０と平板部７２の垂直線とのなす角度ａが、＋３度程度の角度で連結されている。一方、傾斜部９２の天井壁９６は、天井壁９６と平板部７２の垂直線とのなす角度ｂが、概ね＋１０度の、横板部７０と平板部７２とのなす角度より若干大きい角度に形成されている。
【００３４】
傾斜部９２は、溝部９４の横幅ｅ１より広い横幅ｅ２を有している。傾斜部９２の内部には、複数のスリット９０が設けられている。スリット９０は、バックベゼル２８の表裏を貫通し、平板部７２の裏面側を上部湾曲部６８の内側に連通している。
【００３５】
スリット９０は、傾斜部９２の天井壁９６と、天井壁９６に交差する平板部７２の双方を含んで、液晶テレビ１０の前後方向にほぼ沿った方向に形成されている。又、傾斜部９２の左右方向の横幅ｅ２は、前方側より後方側の方が広く形成されていてもよい。
【００３６】
図６に示すように、平板部７２には、前述した溝部９４と第２貫通孔としての貫通孔９８が設けられている。溝部９４は、図１２、図１３に示すように、底部１００と、底部１００の左右両側に設けられた縦壁１０２とを有し、液晶パネル２２の側に凹むように形成されている。各溝部９４は、ＬＥＤバー３６に設けられたＬＥＤ４４と同一の間隔をもって５カ所に、鉛直方向に沿って形成されている。尚、溝部９４は、完全な鉛直に設けられていなくともよい。各溝部９４は、基本的に、平板部７２の上端から下端まで延びている。各溝部９４の上部には、前述したように傾斜部９２が設けられている。又、一部の溝部９４は、平板部７２に取り付けられた電源基板５０や制御基板５２に重なり、溝部９４の一面が塞がれ、筒状に形成されているものがある。溝部９４の底部１００には、貫通孔９８が設けられている。
【００３７】
貫通孔９８は、円形で、平板部７２の表裏を貫通し、ＬＥＤバー３６を取り付けた際、ＬＥＤ４４が配置される位置に合せて、上下２段にそれぞれ５カ所ずつ平行に設けられている。
【００３８】
更に、図６に示すように、平板部７２には、卓上スタンド１４の取付脚に連結される連結金具１０６が取り付けられている。連結金具１０６は、金属製の細長い金具で、バックベゼル２８に２か所、左右均等の位置に設けられている。連結金具１０６は、バックベゼル２８の下部から平板部７２の上部まで延び、卓上スタンド１４をテレビ本体１２に固定すると、卓上スタンド１４の脚部に連結される。更に平板部７２には、連結金具１０６がＬＥＤバー３６と前後方向に交差する位置に、平板部７２を表裏を貫通する貫通孔１０８が設けられている。
【００３９】
又、バックベゼル２８の平板部７２には、図６及び図１０に示すように、配線引出口としての電源線引出口１３０を形成する台座部１１０が設けられている。台座部１１０は、矩形で、図６にも示すように、後方に所定量突出している。台座部１１０の後面は、平坦に形成されている。台座部１１０には、電源線１２０が係合される、配線の引出部としての係合部１２２が設けられている。台座部１１０には、後述するユニットカバー３０に設けられた枠体部１１２が嵌め合わされる。
【００４０】
このように、バックベゼル２８に台座部１１０が設けられることにより、バックベゼル２８は、平板部７２の厚みが実質的に増加した同等の効果を有し、たわみやねじりに対する強度が向上される。バックベゼル２８の後方には、ユニットカバー３０が取り付けられる。
【００４１】
ユニットカバー３０は、上縁３７がバックベゼル２８の上部湾曲部６８の下端部７４に連続した形状を有し、液晶テレビ１０の後面をバックベゼル２８とともに形成する。
【００４２】
ユニットカバー３０は、上部に、ユニットカバー３０の表裏を貫通した第２スリットとしてのスリット１１４が形成されている。スリット１１４は、少なくとも傾斜部９２と電源基板５０の上部と制御基板５２の上部に相当する位置に形成されている。
【００４３】
ユニットカバー３０には、枠体部１１２が、前述したように台座部１１０に合せて設けられている。枠体部１１２は、台座部１１０の周囲に嵌る壁部１１６を四方に有している。枠体部１１２には、電源線１２０が係合された係合部１２２を避ける切欠き部１２３が設けられている。
【００４４】
壁部１１６で囲まれた枠体部１１２の内部は、空間となっている。ユニットカバー３０をバックベゼル２８に取り付け、台座部１１０に枠体部１１２が組み付けられると、液晶テレビ１０の後面に電源線引出口１３０が形成される。電源線引出口１３０は、周囲を壁部１１６で覆われ、液晶テレビ１０の電源線１２０が引き出される以外、液晶テレビ１０の外方とユニットカバー３０の内側空間とは遮断される。
【００４５】
このようにユニットカバー３０には、枠体部１１２が前後方向に延びる壁部１１６で形成されている。壁部１１６は、４か所に矩形に配置され、各壁部１１６のそれぞれの角部は互いに連結されている。これにより、ユニットカバー３０は、厚みが実質的に増加したと同等の効果が得られ、変形に対する強度が向上される。
【００４６】
ユニットカバー３０は、図４に示すように、左右両側が前方に湾曲し、左右端縁３３、３５が、バックベゼル２８の平板部７２の左右端縁２９、３１に連結される。ユニットカバー３０の下端には、平板状で、前方に延びる底板１３２が設けられ、平板部７２の下端部に連結される。ユニットカバー３０の下端部周辺には、底板１３２を含めて、ユニットカバー３０の表裏を貫通したスリットが形成されている。ユニットカバー３０の下端部周辺に設けられたスリットは、主に液晶テレビ１０の内部へ外気を導入させる外気導入口として機能する。
【００４７】
次に、第１の実施形態に係る液晶テレビ１０の作用、効果について説明する。バックライト２６のＬＥＤ４４が点灯されると、ＬＥＤ４４で発生した光は、前方に直接照射されるともに反射シート３８で反射され前方に照射される。前方に照射された光は、拡散板４０等の光学部材３４を通過して、均一に拡散され、液晶パネル２２を裏側から照射する。
【００４８】
ＬＥＤ４４の点灯に伴ってＬＥＤ４４で発生した熱は、図７に示すように、レンズ部５６を通してＬＥＤ４４の前方に放射される。ＬＥＤ４４の前方に放射された熱は、ＬＥＤ４４の前方の空気を暖める。暖められた空気は、反射シート３８と光学部材３４の間に形成された空間内を上昇し、液晶テレビ１０の内部に対流を生じさせる。これにより、ＬＥＤ４４から発生した熱はＬＥＤ４４の前方に放散され、ＬＥＤ４４の温度上昇を抑制させることができる。
【００４９】
又、ＬＥＤ４４で発生した熱は、ＬＥＤ４４の後方にある取付基板４６に伝達され、取付基板４６を加熱する。加熱された取付基板４６の熱は、反射シート３８の貫通孔６４及びバックベゼル２８の平板部７２に設けられている貫通孔９８を通して、バックベゼル２８の後方に放散される。これにより、ＬＥＤ４４の温度上昇を抑制させることができる。
【００５０】
更に、バックベゼル２８に設けられた貫通孔９８から放散された熱は、貫通孔９８の周辺の空気を暖める。貫通孔９８の周辺の暖められた空気は、溝部９４の内部を通って横板部７０まで上昇する。横板部７０に達した熱気の一部は、図１１や図１３に示すように、スリット９０を通って上部湾曲部６８と反射シート３８とにより区画される空間の内部に流入する。
【００５１】
又、横板部７０に達した熱気の一部は、傾斜部９２の傾斜に沿ってバックベゼル２８の後方に流れ、ユニットカバー３０に形成されたスリット１１４から液晶テレビ１０の外部に放出される。傾斜部９２の傾斜は、横板部７０の傾斜より大きく、熱気を効果的に外部に放散できる。
【００５２】
そして、溝部９４内での熱気の上昇に伴って、ユニットカバー３０とバックベゼル２８との間に外気が導入され、一部が溝部９４内を上昇して、貫通孔９８の周辺温度が低下される。
【００５３】
このように、第１の実施形態に係る液晶テレビ１０では、バックライト２６のＬＥＤ４４から発生した熱は、ＬＥＤ４４が取り付けられた位置の後方に設けられた貫通孔６４および貫通孔９８を通して、反射シート３８とバックベゼル２８を通過して放散される。
【００５４】
これにより、ＬＥＤ４４から発生した熱をバックベゼル２８の後方に放散でき、ＬＥＤ４４の温度上昇を抑制できる。更に、熱気は、溝部９４を通ることにより円滑に上昇し、そして傾斜部９２を介して液晶テレビ１０の外部に効率よく放出されるので、より効果的に温度上昇を抑制できる。
【００５５】
又、バックベゼル２８の平板部７２に取り付けられた電源基板５０や制御基板５２から放出された熱は、電源基板５０等の周囲の空気を暖める。電源基板５０等で暖められた空気は、バックベゼル２８の平板部７２とユニットカバー３０とで区画された空間内を上昇する。
【００５６】
平板部７２とユニットカバー３０との間の空間内を上昇した熱気は、横板部７０に到達して、横板部７０の傾斜に沿って熱気が後方に流れる。横板部７０は、バックベゼル２８の後方側が前方側より高くなるように傾斜が設けられているので、熱気は円滑に後方に導かれる。ユニットカバー３０の上部には、ユニットカバー３０の表裏を貫通したスリット１１４が形成されているので、横板部７０に沿ってバックベゼル２８の後方に案内された熱気は、スリット１１４を通り、液晶テレビ１０の外部に放出される。
【００５７】
それと同時に、ユニットカバー３０の下部に設けられたスリットから、外気がユニットカバー３０とバックベゼル２８の平板部７２との間に導入されるので、電源基板５０等が外気により冷却される。尚、スリット１１４は、縦方向に限らず、横方向に設けられていてもよい。又、スリット１１４は、形状も細長い形状に限らず、丸や矩形等任意の形状でよい。
【００５８】
更に、ＬＥＤバー３６と連結金具１０６の交差する個所に貫通孔１０８が設けられていることから、貫通孔１０８を通してＬＥＤバー３６からの熱が連結金具１０６に放射される。連結金具１０６は、縦方向に延びる比較的大きな金属部材で、熱容量が大きく、又、下部は卓上スタンド１４に連結して外部に連結されてることから、ＬＥＤバー３６の熱を効果的に吸収し、そして液晶テレビ１０の外部に放散させることができる。これによっても、液晶テレビ１０は、ＬＥＤ４４が発生する熱を効率よく外部に放出し、温度上昇を抑制できる。
【００５９】
又、反射シート３８の貫通孔６４は、長円形に形成され開口面積が広いので、ＬＥＤバー３６と断熱性の高い反射シート３８とが接する面積が減少し、ＬＥＤバー３６の熱を効果的にバックベゼル２８の裏面側に放散し、ＬＥＤバー３６の温度上昇を抑制できる。
【００６０】
次に、第２の実施形態から第６の実施形態の液晶テレビ１０について説明する。各実施形態では、第１の実施形態の液晶テレビ１０と同一の部材には同一の符号を付す。同一の符号を付した部材の説明は、第１の実施形態における説明に代えるものとする。各実施形態の液晶テレビ１０の全体的な構成については、第１の実施形態の液晶テレビ１０と同等であるので、第１の実施形態の記載を参酌するものとする。
【００６１】
第２の実施形態の液晶テレビ１０について、図１４を参照して説明する。この実施形態では、バックベゼル２８に金属板１４０が、ＬＥＤ４４からの熱を放散させるために設けられた貫通孔９８に合せて取り付けられている。金属板１４０は、熱伝導性が良好な金属板であり、ＬＥＤバー３６の取付基板４６から放散された熱を吸収し、加熱される。そして、金属板１４０から周囲に熱が放射され、あるいは金属板１４０の周囲の空気を加熱し、バックベゼル２８の後方に熱を放散させる。これによっても、ＬＥＤバー３６の取付基板４６の熱を効率よく放散でき、ＬＥＤ４４の温度上昇を抑制できる。
【００６２】
尚、金属板１４０は、貫通孔９８を完全に塞ぐ形でなく、バックベゼル２８の平板部７２から離して取り付けてもよい。すると、貫通孔９８内の熱気の流出によってもＬＥＤバー３６を冷却することができる。又、金属板１４０に孔をあけたり、貫通孔９８からずらして貫通孔９８の一部が開放される形で金属板１４０を平板部７２に取り付けてもよい。
【００６３】
第３の実施形態の液晶テレビ１０について、図１５を参照して説明する。この実施形態では、バックベゼル２８に設けられた貫通孔９８にヒートシンク１４２が取り付けられている。放熱部としてのヒートシンク１４２の放熱用のフィン１４４は、バックベゼル２８の後方に露出させ、吸熱側の端部は、ＬＥＤバー３６の取付基板４６に直接接触させる。
【００６４】
これによると、取付基板４６からヒートシンク１４２に熱が伝達され、ヒートシンク１４２に伝達された熱は放熱用のフィン１４４からバックベゼル２８の後方に放散される。これによっても、ＬＥＤバー３６のＬＥＤ４４の熱を効率よく外部に放散でき、温度上昇を抑制できる。
【００６５】
第４の実施形態の液晶テレビ１０について、図１６を参照して説明する。この実施形態では、バックベゼル２８に設けられた貫通孔９８にヒートパイプ１４６が取り付けられている。放熱部としてのヒートパイプ１４６の放熱側の端部１４８は、バックベゼル２８の溝部９４内の上部に配置させ、ヒートパイプ１４６の吸熱側の端部１５０は、ＬＥＤバー３６の取付基板４６に直接接触させることが好ましい。又、上記実施形態において、貫通孔９８や貫通孔６４を、一方向に長い長孔に形成してもよい。
【００６６】
これによると、取付基板４６の熱が、ヒートパイプ１４６の端部１５０に伝達され、ヒートパイプ１４６を通り放熱側の端部１４８からバックベゼル２８の溝部９４内に放散される。これによっても、ＬＥＤバー３６のＬＥＤ４４の熱を効率よく放散でき、温度上昇を抑制できる。
【００６７】
第５の実施形態の液晶テレビ１０について、図１７を参照して説明する。この実施形態では、バックベゼル２８に溝部９４が横方向にも設けられている。横方向に延びる溝部９４は、ＬＥＤバー３６の取付位置に合せて形成されている。更に、横方向の溝部９４には、バックベゼル２８の表裏を貫通した貫通孔９８が複数設けられている。かかる貫通孔９８は、反射シート３８の貫通孔６４と対応していることが好ましい。又、貫通孔９８や貫通孔６４を、一方向に長い長孔に形成してもよい。
【００６８】
これによると、ＬＥＤバー３６の取付基板４６の裏面側に貫通孔９８が複数配置されるとともに、溝部９４によって各貫通孔９８が連結される。すると、取付基板４６の熱は、各貫通孔９８を通して溝部９４内に放射される。貫通孔９８の設けられている位置が、ＬＥＤ４４の裏側のみでないので、ＬＥＤ４４から取付基板４６に伝達された熱がＬＥＤバー３６の各所からバックベゼル２８の裏側に放散される。
【００６９】
又、横方向の溝部９４内で生じた熱気は、溝部９４を通って縦方向の溝部９４に移動し、そこを上昇してスリット１１４を通して液晶テレビ１０の外部に放出される。したがって、この実施形態の液晶テレビ１０によれば、ＬＥＤバー３６のＬＥＤ４４の熱を効率よく放散し、温度上昇を抑制できる。
【００７０】
第６の実施形態の液晶テレビ１０について、図１８を参照して説明する。この実施形態では、ユニットカバー３０にスリット１１４が、ＬＥＤバー３６の取付位置と溝部９４の位置に合せて形成されている。スリット１１４は、縦方向に５カ所とユニットカバー３０の上下方向のほぼ中央部分に横方向にそれぞれ設けられている。
【００７１】
これによると、ＬＥＤバー３６が取り付けられ位置の裏面側にスリット１１４が配置されるとともに、溝部９４の部分にもスリット１１４が設けられる。すると、取付基板４６の熱は、横方向に設けられた各スリット１１４を通してバックベゼル２８の外部に放出される。更に、溝部９４にある熱気が、電源基板５０で覆われる以外は各スリット１１４から直接液晶テレビ１０の外部に放散される。したがって、この実施形態の液晶テレビ１０によれば、ＬＥＤバー３６のＬＥＤ４４の熱を効率よくスリット１１４を通して液晶テレビ１０の外部に放散でき、温度上昇を抑制できる。尚、スリット１１４は、縦方向と横方向の双方に設けるのではなく、いずれか一方でもよい。
【００７２】
尚、電子機器としては液晶テレビ１０に限るものではない。発光装置を用いたものであれば、各実施形態の構成は他の電子機器にも利用できる。バックライト２６は、液晶テレビ１０のバックライトに限るものではない。各実施形態での構成は、ＬＥＤ４４と反射シート３８とを有して構成したものであれば、照明用として単体で用いられる照明装置等にも利用できる。又、バックライト２６は、複数のＬＥＤバー３６を用いたり、複数のＬＥＤ４４を用いたものに限らず、各実施形態の構成は、少なくとも１つのＬＥＤ４４を用いたものに利用できる。更に、各実施形態における発光体は、ＬＥＤに限るものでなく、他の光源を用いたものでもよい。
【００７３】
尚、本発明は、前記実施形態に限定されるものではない。実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１０…液晶テレビ、１１…筐体、２２…液晶パネル、２６…バックライト、２８…バックベゼル、３０…ユニットカバー、３４…光学部材、３６…ＬＥＤバー、３８…反射シート、４４…ＬＥＤ、４６…取付基板、６４…貫通孔（第１貫通孔）、６８…湾曲部、７０…横板部、７２…平板部、７４…下端部、７６…先端部、７８…基端部、８０…上端部、８２…上端部、９０…スリット、９２…傾斜部、９４…溝部、９８…貫通孔（第２貫通孔）、１１０…台座部、１１２枠体部、１１４…スリット、１４０…金属板、１４２…ヒートシンク、１４６…ヒートパイプ。
【図１】
0006416662.tif 000002
【図２】
0006416662.tif 000003
【図３】
0006416662.tif 000004
【図４】
0006416662.tif 000005
【図５】
0006416662.tif 000006
【図６】
0006416662.tif 000007
【図７】
0006416662.tif 000008
【図８】
0006416662.tif 000009
【図９】
0006416662.tif 000010
【図１０】
0006416662.tif 000011
【図１１】
0006416662.tif 000012
【図１２】
0006416662.tif 000013
【図１３】
0006416662.tif 000014
【図１４】
0006416662.tif 000015
【図１５】
0006416662.tif 000016
【図１６】
0006416662.tif 000017
【図１７】
0006416662.tif 000018
【図１８】
0006416662.tif 000019